(57)【要約】【課題】表示装置における防水機能を有するとともに、シンプルで所望の強度を実現するボタン構造を提供する。【解決手段】ボタン部８０は、ボタン本体８２と、ボタン基部８４とを備える。ボタン本体８２とボタン基部８４の厚さは、キャビネット本体９６よりも若干薄い。キャビネット本体９６の下面には、ボタン基部８４が設けられる近傍から支持部８６が設けられている。ボタン本体８２の上面の略中心部分には、肉盗み部９０が設けられ、下面には、略中央部分から下方向に延びるボタン足部８８が形成されている。そして、操作パネル部１６の上にはパネルシート２０が貼り付けられる。【選択図】図３
2011108567.tif 000002
【特許請求の範囲】
【請求項１】
電子機器のキャビネットに一体で樹脂成型されたボタン部を有する操作部と、当該操作部の上面に取り付けられるパネルシートと、を備えたボタン構造であって、
前記ボタン部は、前記キャビネットの本体から延出するボタン基部と、前記ボタン基部の端部に設けられユーザの押下操作がなされるボタン本体と、を備え、
前記ボタン基部は、前記キャビネット本体からの延出部分に設けられた凹部を備え、
前記パネルシートには、前記ボタン部に対応した位置にエンボス加工が施されていることを特徴とするボタン構造。
【請求項２】
前記ボタン本体には、上面にヒケ対策用の肉盗み部が設けられていることを特徴とする請求項１または２に記載のボタン構造。
【請求項３】
請求項１または２に記載のボタン構造をキャビネットの上面に備えることを特徴とする電子機器。
【発明の詳細な説明】
【技術分野】
【０００１】
本発明は、電子機器のボタン構造及び電子機器に係り、特に、防水機能を有する電子機器のボタン構造及びそのようなボタン構造を備える電子機器に関する。
【背景技術】
【０００２】
電子機器（以下、「セット」ともいう）にはユーザ操作を受け付けるための各種の操作ボタンが設けられ、セットに水やジュースなどの液体がかかった場合、現状では操作ボタン部分からセット内部に液体が侵入し不具合が生じてしまう虞があった。当然に、飲料水等がこぼれてセットにかからないように注意書き等がなされているが、どうしてもユーザの不注意によって上記の不具合が起きてしまうことがある。
【０００３】
そのため、従来より、防水機能を有するボタン構造について様々な技術が提案されている。例えば、防水性を高めるシートキーにおいて、別部品の補強材を有することにより、先端が細いもので操作された場合でも製品機能を損なうことなく長期間使用できるボタン構造が提案されている（例えば、特許文献１参照）。
【先行技術文献】
【特許文献】
【０００４】
【特許文献１】特開平１１−３２９１４３号公報
【発明の概要】
【発明が解決しようとする課題】
【０００５】
ところで、特許文献１に開示の技術では、ボタンの数だけ別部品が必要となりコストがかかり、コスト低減に対する要望が厳しいなかでは現実的ではなく別の技術が求められていた。また、ユーザが操作したときの感覚、例えば、クリック感などに関しても不自然な感じを与えかねないという課題があった。
【０００６】
本発明の目的は、上記課題に鑑み、電子機器における防水機能を有するとともに、シンプルで所望の強度を実現するボタン構造を提供することにある。
【課題を解決するための手段】
【０００７】
本発明に係る装置は、電子機器のキャビネットに一体で樹脂成型されたボタン部を有する操作部と、当該操作部の上面に取り付けられるパネルシートと、を備えたボタン構造であって、前記ボタン部は、前記キャビネットの本体から延出するボタン基部と、前記ボタン基部の端部に設けられユーザの押下操作がなされるボタン本体と、を備え、前記ボタン基部は、前記キャビネット本体からの延出部分に設けられた凹部を備え、前記パネルシートには、前記ボタン部に対応した位置にエンボス加工が施されている。
また、前記ボタン本体には、上面にヒケ対策用の肉盗み部が設けられてもよい。
本発明の係る別の装置は電子機器であって、上記のボタン構造をキャビネットの上面に備える。
【発明の効果】
【０００８】
本発明によれば、電子機器における防水機能を有するとともに、シンプルで所望の強度を実現するボタン構造を提供することにある。
【図面の簡単な説明】
【０００９】
【図１】本発明の実施形態に係る、プロジェクターの斜視図である。
【図２】本発明の実施形態に係る、プロジェクターの操作パネル部を示した斜視図である。
【図３】本発明の実施形態に係る、操作パネル部のボタン部の部分の断面図である。
【図４】本発明の実施形態に係る、比較例として示す一般的なボタン部の部分の断面図である。
【発明を実施するための形態】
【００１０】
次に、本発明を実施するための形態（以下、単に「実施形態」という）を、図面を参照して具体的に説明する。本実施形態の概要は、キャビネットに一体成型されたヒンジ付ボタンの上にエンボス加工を施したシートキーを貼り付ける。この構造によって、セット内部への液体侵入を防ぐことを可能とし、同時に、隙間がないことで静電対策にも効果を発揮させる。さらに、キャビネット一体型のヒンジボタンでクリック感を調整することで、シートキーと比較して操作性に優れた構造とする。さらにまた、キャビネット一体型のボタンとエンボスシートのみで構成とすることで、部品点数を削減する。以下、詳細に説明する。
【００１１】
図１は、本実施形態に係るプロジェクター３０の斜視図であり、上キャビネット１０を取り外して示している。プロジェクター３０は、主に投射レンズ４０、光学レンズ５０、駆動回路ユニット６０、冷却ファンユニット７０とを、下キャビネット１２及び上キャビネット１０とによって収容するようにして構成されている。また、上キャビネット１０は、例えば樹脂製の成型部品である。
【００１２】
駆動回路ユニット６０は、上面部分に入力回路４を備えており、鉄製シートやアルミ製シートの入力回路シールド６により覆われる。ここでは、入力回路シールド６を分離して示している。入力回路４は、各種回路部品が樹脂製の基板上に配置されて構成されており、背面側に各種の入力端子を複数備えるとともに、ユーザの操作を受け付ける回路を備えている。そして、ユーザ操作を受け付ける回路の一部として、入力回路４の上面にはスイッチ５が複数配置されており、以下に説明するような構成によって、上キャビネット１０のキャビネット上面１４に設けられた操作パネル部１６（ボタン部８０）に対する操作がスイッチ５に作用する。なお、入力回路シールド６には、スイッチ５にボタン部８０が作用可能に、ボタン部８０が設けられる位置に対応して所定の開口が設けられている。
【００１３】
図２は、上キャビネット１０に設けられた操作パネル部１６を中心として拡大して示した図である。図示のように、操作パネル部１６は、樹脂成型の際に、金型によって所望の形状に形成された部分であって、操作パネル部１６には複数のボタン部８０が上キャビネット１０と一体となって形成されている。ここでは、代表して二つのボタン部８０のみ符号を付している。この操作パネル部１６は、周囲より若干低く形成されており、その上には、パネルシート２０が貼り付けけられる。ここでは、パネルシート２０を取り外した状態で示している。パネルシート２０は、例えば、両面接着テープ等によって操作パネル部１６に貼り付けられる。なお、操作パネル部１６には、ボタン部８０の他に、ＬＥＤ用開口１８や成型用ゲート部１９が設けられている。
【００１４】
パネルシート２０は、ＰＥＴ（Polyethylene Terephthalate）やＰＣ（Polycarbonate）等のプラスチックシートであって、上キャビネット１０のボタン部８０の配置に対応してエンボス加工が施されて、エンボス部２２が設けられている。厚さは、０．２ｍｍ程度である。
【００１５】
図３は、操作パネル部１６のボタン部８０の断面構造を示した図である。また、図４に、比較例として、一般的に採用されているボタン部１８０の断面構造を示す。まず、図４の一般的なボタン部１８０について説明する。このような従来の構造においては、キャビネット一体型のボタン部１８０の上に、操作パネル１１６を取り付けている。つまり、操作パネル１１６の開口よりボタン部１８０が突き出るように露出し、その外周部分が隠れるようになっている。また、ボタン部１８０の裏面にはスイッチ１０５に届くように足部が設けられている。このような構成をとる結果、水が上からかかってしまったときに、ボタン部１８０の外周と操作パネル１１６との隙間（領域Ａ）から、水などの液体が進入し、入力回路（基板）１０４上に洩れていた。また、その隙間（領域Ａ）から静電気が進入し、入力回路１０４を破損する虞もあった。さらにボタン部１８０は、キャビネット一体型の成型品とすることができるため、部品数削減には寄与することができるが、その場合、成型条件の調整が困難であってヒケなどの成型上の課題があり、製品歩留まり改善に対する要望が強かった。
【００１６】
一方で、図３に示す構造のボタン部８０では、従来と同様に、キャビネット（上キャビネット１０）と一体に成型されたボタン部８０の上にエンボス加工を施したシートを貼り付けることにより、隙間をなくして液体および静電気の進入を防ぐものである。
【００１７】
より具体的には、ボタン部８０は、上面視で略円形に形成されたボタン本体８２と、ボタン本体８２とキャビネット本体９６とを渡す上面視で略矩形のボタン基部８４とを備えている。ボタン本体８２とボタン基部８４の厚さは、キャビネット本体９６よりも若干薄くなっている。また、ボタン部８０において、ボタン本体８２はボタン基部８４によってのみキャビネット本体９６と接続され、接続部分以外の周囲は所定幅だけ離間し、ユーザの押下によって、下方向にストローク可能になっている。また、キャビネット本体９６の裏側（下面）には、ボタン部８０への押下がユーザからなされたときに、キャビネット本体９６を所望の位置に維持するための支持部８６が設けられている。例えば、ボタン基部８４が設けられる近傍から支持部８６が延出している。
【００１８】
ボタン本体８２の上面の略中心部分には、ヒケ対策用の形状として肉盗み部９０が設けられている。また、ボタン本体８２の下面には、略中央部分から下方向に延びるボタン足部８８が形成されている。ボタン部８０は、上キャビネット１０がプロジェクター３０本体に組み付けられるときに、入力回路シールド６に設けられた開口部６ａを通ってスイッチ５に達する。実際には、ボタン部８０が押下されない状態では、ボタン足部８８はスイッチ５に対して僅かに、例えば、０．３０ｍｍ程度だけ離間した状態になるような長さを有している。
【００１９】
また、ボタン基部８４の裏側（下面）であって、キャビネット本体９６からの延出部分、つまり支持部８６が形成される近傍部分に、可撓切欠部９２が形成され、ボタン部８０がいわゆるヒンジボタン形状となっている。ここでは断面半円状の凹部の形状が形成されている。この可撓切欠部９２の大きさ及び形状を調整することで、ボタン部８０のストローク（例えば、０．７ｍｍ程度）と押下の際の硬さ（いわゆるクリック感）を所望に調整することができる。なお、可撓切欠部９２は一般にはボタン基部８４の裏側に設けられるが、反対に上面に設けられてもよい。
【００２０】
そして、ボタン部８０の作用対象として、入力回路４の上には、所定の位置にスイッチ５が配置されている。スイッチ５は、上面に所定のストローク（例えば、０．１５〜０．２０ｍｍ）によって、ボタン部８０からの操作が反映される作用部５ａを備えている。
【００２１】
以上のような構造のボタン部８０によって、操作パネル部１６からプロジェクター３０内部への液体侵入を防ぐことを効果的に実現できる。さらに、隙間がないことで静電対策を効果的に発揮させることができる。また、ボタン部８０をキャビネット一体型のヒンジボタンとして、押圧時のクリック感を調整することで、従来のシートキーと比較して操作性に優れた構造を実現できる。さらに、キャビネット一体型のボタン部８０とエンボス加工のパネルシート２０のみで構成とすることで、操作パネル部１６の部品点数を削減することができる。さらにまた、ボタン部８０の上にパネルシート２０を貼り付けるため、ボタン部８０が表面に露出することがないため、ヒケ対策用の肉盗み部９０などの対策が可能となった。
【００２２】
また、従来のシートキーの場合だとクリック感の調整が困難であったが本実施形態ではクリック感の調整は上キャビネット１０（可撓切欠部９２）で対応可能であり、さらに特許文献１に開示の技術において設けられている補強材などを必要とせずに、ボタン強度を保持できる。なお、本実施形態のボタン部８０では、２ｋｇｆの押圧試験では、５万回の押圧動作でも全く問題なくボタン強度が保持された。この点においても部品点数削減にも寄与することができる。さらに、操作用ボタンを表示する各種マーク等を、パネルシート２０に直接印字することができ、従来のように、所定のシールを貼ると言ったことがないため、コスト低減につながるとともに見栄えも改善できる。また、パネルシート２０を静電気対策用にシールド加工を施すこともできる。
【００２３】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、本実施形態では、上記ボタン構造を有する電子機器としてプロジェクター３０について例示したが、例えば、各種測定機器やゲーム機等にも適用することができる。
【符号の説明】
【００２４】
１０  上キャビネット
１４  キャビネット上面
１６  操作パネル部
２０  パネルシート
２２  エンボス部
３０  プロジェクター
８０  ボタン部
８２  ボタン本体
８４  ボタン基部
８６  支持部
８８  ボタン足部
９０  肉盗み部
９２  可撓切欠部
【図１】
2011108567.tif 000003
【図２】
2011108567.tif 000004
【図３】
2011108567.tif 000005
【図４】
2011108567.tif 000006